(57)【特許請求の範囲】
【請求項１】
基材表面に印刷シート又は印刷シートを持つ表面化粧層を積層しており、当該表面に凹溝又は切り込みが形成されている物品のための前記印刷シートであって、該印刷シートの印刷模様は木目模様を持つ小割板が多数枚寄せ木状に組み付けられた柄模様であって、かつ隣接する木目模様がそれぞれ異なる印刷模様であり、かつ前記印刷シートは積層時に当該凹溝又は切り込み位置となるべき部位及びその両側近傍が、該凹溝又は切り込みの一方側における木目印刷模様と他方側における木目印刷模様とにおける色相差、明度差、及び／又は彩度差のいずれか又はすべてを連続的に変化させる態様で印刷されていることを特徴とする印刷シート。
【請求項２】
前記連続的に変化させる態様として、該凹溝又は切り込みの一方側における木目印刷模様と他方側における木目印刷模様とにおける色相、明度、及び／又は彩度のいずれか又はすべてのほぼ中間の色相、明度、及び／又は彩度でもって印刷された領域を持たせる態様をさらに含むことを特徴とする請求項１記載の印刷シート。
【請求項３】
前記連続的に変化させる態様として、該凹溝又は切り込みの一方側における木目印刷模様と他方側における木目印刷模様の印刷絵柄に連続性を持たせる態様をさらに含むことを特徴とする請求項１又は２記載の印刷シート。
【請求項４】
請求項１ないし３いずれか記載の印刷シート又は印刷シートを持つ表面化粧層を基材の表面に積層した後、前記連続的に変化させる態様で印刷された領域内に凹溝又は切り込みが切削などにより形成されていることを特徴とする物品。
【発明の詳細な説明】
【０００１】
【発明の属する技術分野】
本発明は、例えば建築用化粧板のように、基材表面に印刷シート又は印刷シートを持つ表面化粧層を積層して作られる物品であって、その表面に目地溝や化粧溝のような凹溝あるいは切り込みが形成される物品に対して積層するための印刷シート及び該印刷シートを積層した物品に関する。
【０００２】
【従来の技術】
床、壁、天井などの建築物内装材や壁面等の外装材には、基材の表面に適宜の模様を印刷した化粧材（化粧紙）を貼り付けて表面化粧を施したものが多く用いられている。基材としては、木質系、窯業系、金属系など、種々のものが用いられ、また、表面化粧材としても、紙、樹脂シート、それらの積層体などが用いられる。
【０００３】
また、例えば煉瓦積み調の化粧材を作る場合に、煉瓦積み模様を印刷した化粧シート用意し、それを表面が平坦な基材に貼り付けた後、煉瓦と煉瓦の境目部分（目地部分）に相当する箇所に表面から切り込みを入れ、意匠性を高めることが行われる。また、いわゆるフローリング材の場合には、１尺×６尺のような平坦な合板基材の表面に、小割板を寄せ木状に組み付けた模様を印刷した印刷シート又はそのような印刷シートを持つ表面化粧材を貼り付け、高級感を出すために、該印刷模様における小割り板同志の接合境界線に沿って横断面形状がＶ字状あるいはＵ字状の化粧溝を切り込み加工してブロック単位（小割単位）でのアクセントを付けることが行われる。
【０００４】
図３、図４は、上記のような印刷シートを用いてフローリング材を製造する過程を説明している。１０は合板のような適宜の基材であり、その表面に表面化粧材２０が貼り付けられる。表面化粧材２０又はその最上層は印刷シート２１であり、該印刷シート２１には、図５に示すような木目模様を持つ小割板ａ・・が多数枚、寄せ木状に組み付けられた柄模様が全体に印刷されている（図３では、木目模様は省略されている）。
【０００５】
この例で、印刷シート２１の短辺方向に小割板ａは６段に並べてあり、各段には３〜５枚程度の小割板ａが印刷されている。各段の境界としての第１の直線模様ｂが５本、印刷シート２１の長辺に平行に印刷されており、また、各段における小割板ａと小割板ａの境目となる第２の直線模様ｃが印刷シート２１の短辺に平行に印刷されている。
【０００６】
さらに、図には現れないが、隣接する小割板ａ・・同志の印刷模様における色相、明度、彩度あるいは絵柄を相互に異ならせておくのが普通であり、それにより、あたかも自然の木から実際に切り出した小割板が、寄せ木状に貼り付けてあるかのような印象を見たものに与えるようにし、高級感を創出している。
基材１０に表面化粧材２０を貼り付けた後、図４に示すように、長手方向に沿って２分割されるとともに、一層の高級感を出すために、前記した第１の直線模様ｂに沿って、切削機（ルーターなど）によりＶ形の切り込み３０が付けられる。場合によっては、第２の直線模様ｃに沿ってもＶ形の切り込みが付けられることもある。
【０００７】
【発明が解決しようとする課題】
上記した切り込み３０を付けるに際し、予め印刷してある第１の直線模様ｂの上を走るように正確に該切り込み３０が形成されれば、各段ごとに小割板を明確にブロック化することができ、高い意匠性を出すことができる。しかし、印刷シート２１は通常フィルム状の薄いものであり、表面化粧材２０の基板に表面シートとして貼着するときに位置ずれをおこす場合が起こりうる。また、表面化粧材２０を基材１０に貼り付ける際に位置ずれをおこすことも起こりうる。位置がずれて印刷シート（あるいは表面化粧材）が貼り付けられたものを、切削機にかけて切り込み加工を行うと、印刷シートの本来切り込まれるべき位置でない所に切り込み３０が形成されないこととなり、見た目に違和感を生じさせ商品価値を低下させる。
【０００８】
その一例を図５で説明すると、印刷シート２１には、図５ａに示すように、それぞれ異なる木目模様である多数の小割板が印刷され、それぞれの小割板の境界線として、縦方向に第１の直線模様ｂ１、ｂ２、及び横方向に第１の直線模様ｃ１、ｃ２が印刷されている。そして、図５ｂに、図５ａでの横断線ｘ−ｘ箇所での表面の明度分布を示すように、小割板ａ１と小割板ａ３の明度はほぼ等しく、小割板ａ２の明度はそれより低くされている。
【０００９】
いま、前記したような位置ずれが、図５に示すように、右方向にわずかに生じたと仮定すると、切り込み溝は、第１の直線模様ｂ１、ｂ２の位置ではなく、Ｂ１、Ｂ２の位置に形成されることとなる。その結果、実際の商品においての各小割板ａ１、ａ２、ａ３の印刷模様は、それぞれ、Ａ１、Ａ２、Ａ３の横幅を持つものとなり、小割板ａ１では支障がないとして、小割板ａ２、ａ３では、長手方向に走る第１の直線模様ｂ１（ｂ２）が残り、また、明度と柄が大きく異なる二つの模様が一枚の小割板に同時に存在することとなる。このような表面模様を持つ建築材は商品価値が低下するのは明らかであり、回避する必要がある。なお、上記では、明度の違いを例としたが、印刷絵柄、模様の色相、あるいは彩度の違いについても同様のことが生じる。
【００１０】
長手方向に走る第１の直線模様ｂ１（ｂ２）を印刷しなければ、それに起因する見た目の悪さは回避できる。しかし、その場合、各小割板ａ１、ａ２、ａ３相互の独立性をはっきりさせるために、印刷絵柄、模様の色相、明度、あるいは彩度のすべてに、あるいはそのいずれかに、大きな差異を持たせる必要があり、その場合、切り込み溝の位置の誤差に伴ってやはり同様な不都合は発生する。
このような不都合は、直線模様ｃ１、ｃ２に切り込み溝を入れる場合、あるいは、図４において２分割した各フローリング材の切断線ｄ、ｄの部分でも同様に生じる。
【００１１】
上記のことは、印刷シート２１（又は表面化粧材２０）の貼り付けが正常に行われた場合であっても、切削機側の都合により十分に起こりうることである。
本発明の目的は、上記のように、表面に印刷シートを備えた物品の表面に凹溝又は切り込みを形成する際に起こりうる上記のような不都合を解消することにあり、例え、印刷シート側あるいは切削機側に起因して本来あるべき位置でない箇所に凹溝や切り込みが形成されたとしても、切削加工後の当該物品を見るものに大きな違和感を感じさせることがなく、それにより、物品としての商品価値を大きく低下させることがないようにした印刷シート、及び該印刷シートを積層した物品を得ることにある。
【００１２】
【課題を解決するための手段】
上記の課題を解決するための本発明による印刷シートは、基材表面に印刷シート又は印刷シートを持つ表面化粧層を積層しており、当該表面に凹溝又は切り込みが形成されている物品のための印刷シートであって、該印刷シートは、積層時に当該凹溝又は切り込み位置となるべき部位及びその両側近傍が、該凹溝又は切り込みの一方側における印刷模様と他方側における印刷模様とが連続性を持つような態様で印刷されていることを特徴とする。
【００１３】
前記連続性を持たせる態様は任意であるが、凹溝又は切り込みの一方側における印刷模様と他方側における印刷模様とにおける色相差、明度差、及び／又は彩度差のいずれか又はすべてを連続的に変化させる態様、あるいは、該色相、明度、及び／又は彩度のいずれか又はすべてのほぼ中間の色相、明度、及び／又は彩度でもって印刷された領域を持たせる態様、さらには、その双方を含む態様などが好適である。
【００１４】
さらに加えて、前記連続性を持たせる態様として、該凹溝又は切り込みの一方側における印刷模様と他方側における印刷模様の印刷絵柄に連続性を持たせる態様をさらに含ませるようにしてもよい。
上記のような印刷シートを用いると、印刷シート側あるいは切削機側に起因して本来あるべき位置でない箇所に凹溝や切り込みが形成されたとしても、その位置が、前記「連続性を持つような態様で印刷されている」領域内にある限りは、形成された凹溝又は切り込みの一方側における印刷模様と他方側における印刷模様は、見るものに連続したものとしての視覚的印象を与えることができる。そのために、切削加工後の当該物品は印刷シートが本来持つ意匠効果とほぼ同程度の意匠効果を維持することが可能となり、物品としての商品価値は高いレベルで保持される。
【００１５】
本発明は、また、上記の印刷シートを基材の表面に積層した後、前記連続性を持たせる態様で印刷された領域に沿って凹溝又は切り込みが切削などにより形成されていることを特徴とする物品をも開示する。
本発明において、印刷シートの素材は任意であり制限はない。基材との相性、得ようとする柄模様との相性、得ようとする物品との相性、などを考慮して、薄葉紙、上質紙、チタン紙、和紙などの紙、ポリエステル不織布、ビニロン不織布などの不織布、ポリ塩化ビニル、ポリエステル、ポリオレフィンなどの樹脂シート、などから適宜のものを選択すればよい。印刷方法も任意であり制限はないが、グラビア印刷、グラビアオフセット印刷のような印刷方法は前記の連続性を持たせる態様での印刷状態を表出するのに特に有効である。また、必要に応じて、印刷シートの裏面に、さらに、紙、不織布、樹脂シートなどのシートを積層し裏打ちしてもよい。
【００１６】
基材も木質材、窯業材、樹脂材、金属材、など任意であり制限はない。柄模様も任意であり、木目模様、石目模様、コンクリートブロック模様、煉瓦積模様、タイル貼り模様、抽象柄模様、などのすべてに適用できる。
本発明の対象となる物品も特に制限はないが、床材、壁材、天井材などの建築物の内装材又は外装材、扉などの建具、箪笥などの家具のような物品の場合に、本発明は特に有効である。
【００１７】
【発明の実施の形態】
本発明の一実施の形態を、図５に示したような印刷シートに適用する場合を例に取り、図１，図２を中心として以下に説明する。
この例において、印刷シート２１ａは、方形状の小割板を柄模様として多数個印刷したものである。図１ａはその一部を示しており、左列には、小割板ａ１と小割板ａ５が上下方向に配置され、その境界には小割単位を明示するために水平方向に第２の直線模様ｃ１が印刷されている。中央列には小割板ａ２が印刷され、右列には、小割板ａ３と小割板ａ７が上下方向に配置され、その境界にはやはり水平方向に第２の直線模様ｃ２が印刷されている。なお、図１に示される上下方向の仮想線ｂｘと仮想線ｂｙは、この印刷シート２１ａを例えば図４に示すようにして基材１０に貼り付けたときに、切り込み３０が形成されるべき設計上の予定位置を示しているが、実際の印刷シートには印刷されてはいない。
【００１８】
図１ｂに、図１ａでの横断線ｘ−ｘ箇所での表面の明度分布を示すように、小割板ａ１と小割板ａ３の平均的明度はほぼ等しく、小割板ａ２の平均的明度はそれより低くされている。そして、各小割板が別個の模様として認識できるように、小割板ａ１及びａ３と小割板ａ２との平均的明度差は、目視で十分識別可能な程度にしてある。また、小割板ａ１〜ａ７の絵柄（木目柄）はすべて互いに異なるようにしてある。
【００１９】
しかし、小割板ａ１における前記仮想線ｂｘ側の所定領域ｓ１においては、明度が該仮想線ｂｘに向けて次第に低くなるようにされており、仮想線ｂｘのごく近傍位置では、小割板ａ１の明度と小割板ａ２の明度のほぼ中間の明度とされている。一方、小割板ａ２における前記仮想線ｂｘ側の所定領域ｓ２においては、明度が該仮想線ｂｘに向けて次第に高くなるようにされており、仮想線ｂｘのごく近傍位置では、小割板ａ１の明度と小割板ａ２の明度のほぼ中間の明度とされている。
【００２０】
すなわち、この印刷シート２１ａにおいて、小割板ａ１における前記領域ｓ１と小割板ａ２における前記領域ｓ２とで形成される領域ｓｘ内では、その模様の明度が、明度の高い小割板ａ１側から明度の低い小割板ａ２に向けて連続的に変化するようにして印刷されており、見るものに極端な不連続さを感じさせない。また、仮想線ｂｘのごく近傍では、領域ｆｘに示すように小割板ａ１の明度と小割板ａ２の明度のほぼ中間の明度である領域が確保されている。
【００２１】
小割板ａ２と小割板ａ３の間の境界領域ｓｙでも同様に、小割板ａ２における前記仮想線ｂｙ側の所定領域ｓ２においては、明度が該仮想線ｂｙに向けて次第に高くなるようにされ、小割板ａ３における前記仮想線ｂｙ側の所定領域ｓ３においては、明度が該仮想線ｂｙに向けて次第に低くなるようにされている。そして、仮想線ｂｙのごく近傍では、領域ｆｙに示すように小割板ａ２の明度と小割板ａ３の明度のほぼ中間の明度である領域が確保されている。
【００２２】
上記の構成であり、この印刷シート２１ａを、図４に示すようにして基材１０に貼り付けて凹溝や切り込み３０を形成するときに、前記したような印刷シート側あるいは切削機側に起因して本来あるべき位置（前記仮想線ｂｘ、ｂｙの位置）ではなく、その右方向あるいは左方向にずれた位置に形成されたとしても、その位置ずれの距離が前記領域ｓｘ、ｓｙ（すなわち、「連続性を持つような態様で印刷されている」領域）の範囲内にある限りは、該切り込み３０の一方側（例えばａ１）における印刷模様と他方側（例えばａ２）における印刷模様は、見るものに連続したものとしての印象を与える。
【００２３】
そのために、前記の位置ずれが生じても、従来の印刷シートにおける場合のように、明度がある境界線で極端に異なる二つの模様が一枚の小割板に同時に存在する現象を回避することができ、当該物品は印刷シートが本来持つ意匠効果とほぼ同程度の意匠効果を常時維持すること可能となる。それにより、物品としての商品価値は高いレベルで保持される。
なお、上記では明度を連続的に変化させる場合を説明したが、絵柄の色相の違いや彩度の違いを連続的に変化させる場合にも、同様な効果が奏されることは説明するまでもなく理解されよう。また、色相、明度、彩度を単独でなく、適宜の組み合わせについて、あるいは、すべてについて、同時に連続的に変化させるようにしてもよい。
【００２４】
さらに、絵柄自体についても同様であり、例えば、図２の領域Ｆ１〜Ｆ４に示すように、木目（年輪模様）の走る方向や幅、色合い、などを前記領域ｓｘ、ｓｆにおいて連続性を持たせるようにしておくことにより、前記のような位置ずれが生じた場合でも、絵柄が大きく異なる二つの模様が一枚の小割板に同時に存在する現象を回避することができる。模様全体の色相、明度、彩度の変化と合わせて行うことにより、より高い効果を得ることができることはいうまでもない。
【００２５】
また、上記の説明では、凹溝あるいは切り込みは図１あるいは図２での長手方向（仮想線ｂｘ、ｂｙの方向）にのみ形成するものとして説明したが、物品によっては、他の方向（例えば、図１及び図２の例で、水平方向の第２の直線模様ｃ１、ｃ２の方向）に凹溝あるいは切り込みが形成される場合がある。その場合には、そのような凹溝あるいは切り込み（水平方向の第２の直線模様ｃ１、ｃ２）の両側の領域に前記と同様な手法を施す。また、場合によっては、直線模様ｃ１，ｃ２と仮想線ｂｘ，ｂｙの両方において、同様の手法を施すことにより、該印刷模様におけるブロック単位でのアクセントを一層効果的に行いうることも理解されよう。
【００２６】
また、本発明において、必要であれば、図４のｄ，ｄに示すような切断（予定）線の両側近傍について、印刷シートの印刷模様が、切断（予定）線の一方側から他方側に向かって連続するようにしてもよい。
なお、本発明において、「連続性を持つような態様で印刷される領域」の幅の広さは一律的な値を持つものではなく、印刷シートの種類、基材の種類、印刷シート貼り付けの態様、印刷シートの大きさ、凹溝や切れ込みの幅、模様の種類や大きさ、切削機械側の精度、などを考慮しながら、個々の印刷シートごとに選択されるべきものであるが、ごく平均的な値としては１〜３ｍｍ程度であれば、十分に所期の目的を達成することができる。
【００２７】
【発明の効果】
本発明によれば、基材表面に印刷シート又は印刷シートを持つ表面化粧層を積層した後、その表面に凹溝又は切り込みが形成されるような物品において、印刷シート側あるいは切削機側に起因して本来あるべき位置でない箇所に凹溝や切り込みが形成された場合でも、凹溝又は切り込みの一方側における印刷模様と他方側における印刷模様に連続性を持たせることが可能となり、印刷シートが本来持つ意匠効果を常時保持した物品を容易に得ることが可能となる。
【図面の簡単な説明】
【図１】本発明による印刷シートの一例を説明する図。
【図２】本発明による印刷シートの他の例を説明する図。
【図３】印刷シートを持つ表面化粧材を基材に貼り付けて物品を作る場合の一工程を説明する図。
【図４】印刷シートを持つ表面化粧材を基材に貼り付けて物品を作る場合の他の工程を説明する図。
【図５】図３及び図４に示す物品を作る場合の印刷シートの従来の例を説明する図。
【符号の説明】
２１ａ…印刷シート、ａ１〜ａ７…小割板、ｂｘ、ｂｙ…印刷シートを基材に貼り付けたときに切り込みが形成されるべき設計上の予定位置、ｓｘ、ｓｙ…連続性を持つような態様で印刷されている領域
【図１】
0004408466.tif 000002
【図２】
0004408466.tif 000003
【図３】
0004408466.tif 000004
【図４】
0004408466.tif 000005
【図５】
0004408466.tif 000006